【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のために構成されたコンポーネントキャリア（ＣＣ）の数を決定することと、
前記数のＣＣ内で、クリアチャネルアセスメント（ＣＣＡ）動作の対象となるＣＣの第１のセットを識別することと、
ＣＣの前記数と、ＣＣＡ動作の対象となるＣＣの前記第１のセットとに少なくとも部分的に基づいてソフトバッファを区分するために決定することと
を備える、ワイヤレス通信の方法。
【請求項２】
ＣＣＡ動作の対象となるＣＣの前記第１のセットが無認可スペクトル中にある、請求項１に記載の方法。
【請求項３】
ＣＣＡ動作の対象となるＣＣの前記第１のセットが共有認可スペクトル中にある、請求項１に記載の方法。
【請求項４】
ＣＣＡ動作の対象となるＣＣの前記第１のセットに基づいて前記ソフトバッファを区分するために前記決定することが、ＣＣＡ動作の対象となるＣＣの前記第１のセットをスケーリングファクタでスケーリングすることを含む、請求項１に記載の方法。
【請求項５】
前記ソフトバッファを区分するために、ＣＣＡ動作の対象となるＣＣの前記第１のセットのための値を決定することをさらに含み、ただし、前記値が、ＣＣＡ動作の対象となるＣＣの前記第１のセット中のＣＣの前記数未満である、請求項１に記載の方法。
【請求項６】
ＣＣＡ動作の対象となるＣＣの前記第１のセット内で、前記ソフトバッファを区分するためにＣＣＡクリアランスをもつＣＣの数を決定することをさらに含む、請求項１に記載の方法。
【請求項７】
ＣＣＡ動作の対象となるＣＣの前記第１のセット中のＣＣの前記数が、前記ＵＥのために構成されたＣＣの前記数に等しい、請求項１に記載の方法。
【請求項８】
ＣＣの第２のセットがＣＣＡ動作を免除された１つまたは複数のＣＣを含むと決定することをさらに含み、ここにおいて、前記ソフトバッファが、ＣＣの前記第１のセットとＣＣの前記第２のセットとについてセパレート区分されるかまたはジョイント区分されるかのうちの１つである、請求項１に記載の方法。
【請求項９】
前記ソフトバッファのジョイント区分が、ＣＣの前記第２のセット中の前記１つまたは複数のＣＣについて優先される、請求項８に記載の方法。
【請求項１０】
前記ソフトバッファのビットサイズが、ＣＣの前記第１のセットについておよびＣＣの前記第２のセットについてセパレートに決定される、請求項８に記載の方法。
【請求項１１】
ネットワーク動作に基づいて前記ソフトバッファをセパレート区分することまたはジョイント区分することのうちの１つを選択すること
をさらに含む、請求項８に記載の方法。
【請求項１２】
前記ネットワーク動作がキャリアアグリゲーションを含むとき、前記ソフトバッファをジョイント区分することを選択することと、
前記ネットワーク動作が理想的でないバックホール通信を有する２つまたはそれ以上の基地局を含むとき、前記ソフトバッファをセパレート区分することを選択することと、ここにおいて、前記２つまたはそれ以上の基地局が、前記ＵＥのために構成された前記数のＣＣのうちの１つまたは複数に関連する、
をさらに含む、請求項１１に記載の方法。
【請求項１３】
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、請求項１に記載の方法。
【請求項１４】
ＨＡＲＱプロセスの前記最大限界Ｍlimitが、ＣＣの前記第１のセットのために選択された第１のＭlimitと、ＣＣの前記第２のセットのために選択された第２のＭlimitとを含む、請求項１３に記載の方法。
【請求項１５】
少なくとも１つのプロセッサと、
前記少なくとも１つのプロセッサに結合されたメモリと、
ここにおいて、前記少なくとも１つのプロセッサは、
ユーザ機器（ＵＥ）のために構成されたコンポーネントキャリア（ＣＣ）の数を決定することと、
前記数のＣＣ内で、クリアチャネルアセスメント（ＣＣＡ）動作の対象となるＣＣの第１のセットを識別することと、
ＣＣの前記数と、ＣＣＡ動作の対象となるＣＣの前記第１のセットとに少なくとも部分的に基づいてソフトバッファを区分するために決定することと
を行うように構成される、
を備える、ワイヤレス通信のために構成された装置。
【請求項１６】
ＣＣＡ動作の対象となるＣＣの前記第１のセットが無認可スペクトル中にある、請求項１５に記載の装置。
【請求項１７】
ＣＣＡ動作の対象となるＣＣの前記第１のセットが共有認可スペクトル中にある、請求項１５に記載の装置。
【請求項１８】
ＣＣＡ動作の対象となるＣＣの前記第１のセットに基づいて前記ソフトバッファを区分するために決定するための前記少なくとも１つのプロセッサの前記構成が、ＣＣＡ動作の対象となるＣＣの前記第１のセットをスケーリングファクタでスケーリングするための前記少なくとも１つのプロセッサの構成を含む、請求項１５に記載の装置。
【請求項１９】
前記ソフトバッファを区分するために、ＣＣＡ動作の対象となるＣＣの前記第１のセットのための値を決定するための前記少なくとも１つのプロセッサの構成をさらに含み、ただし、前記値が、ＣＣＡ動作の対象となるＣＣの前記第１のセット中のＣＣの前記数未満である、請求項１５に記載の装置。
【請求項２０】
ＣＣＡ動作の対象となるＣＣの前記第１のセット内で、前記ソフトバッファを区分するためにＣＣＡクリアランスをもつＣＣの数を決定するための前記少なくとも１つのプロセッサの構成をさらに含む、請求項１５に記載の装置。
【請求項２１】
ＣＣＡ動作の対象となるＣＣの前記第１のセット中のＣＣの前記数が、前記ＵＥのために構成されたＣＣの前記数に等しい、請求項１５に記載の装置。
【請求項２２】
ＣＣの第２のセットがＣＣＡ動作を免除された１つまたは複数のＣＣを含むと決定するための前記少なくとも１つのプロセッサの構成をさらに含み、ここにおいて、前記ソフトバッファが、ＣＣの前記第１のセットとＣＣの前記第２のセットとについてセパレート区分されるかまたはジョイント区分されるかのうちの１つである、請求項１５に記載の装置。
【請求項２３】
前記ソフトバッファのジョイント区分が、ＣＣの前記第２のセット中の前記１つまたは複数のＣＣについて優先される、請求項２１に記載の装置。
【請求項２４】
前記ソフトバッファのビットサイズが、ＣＣの前記第１のセットについておよびＣＣの前記第２のセットについてセパレートに決定される、請求項２１に記載の装置。
【請求項２５】
ネットワーク動作に基づいて前記ソフトバッファをセパレート区分することまたはジョイント区分することのうちの１つを選択するための前記少なくとも１つのプロセッサの構成
をさらに含む、請求項２１に記載の装置。
【請求項２６】
前記ネットワーク動作がキャリアアグリゲーションを含むとき、前記ソフトバッファをジョイント区分することを選択するための前記少なくとも１つのプロセッサの構成と、
前記ネットワーク動作が理想的でないバックホール通信を有する２つまたはそれ以上の基地局を含むとき、前記ソフトバッファをセパレート区分することを選択するための前記少なくとも１つのプロセッサの構成と、ここにおいて、前記２つまたはそれ以上の基地局が、前記ＵＥのために構成された前記数のＣＣのうちの１つまたは複数に関連する、
をさらに含む、請求項２５に記載の装置。
【請求項２７】
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、請求項１５に記載の装置。
【請求項２８】
ＨＡＲＱプロセスの前記最大限界Ｍlimitが、ＣＣの前記第１のセットのために選択された第１のＭlimitと、ＣＣの前記第２のセットのために選択された第２のＭlimitとを含む、請求項２７に記載の装置。
【請求項２９】
プログラムコードを記録した非一時的コンピュータ可読媒体であって、前記プログラムコードが、１つまたは複数のコンピュータプロセッサによって実行されたとき、
ユーザ機器（ＵＥ）のために構成されたコンポーネントキャリア（ＣＣ）の数を決定することと、
前記数のＣＣ内で、クリアチャネルアセスメント（ＣＣＡ）動作の対象となるコンポーネントキャリアの第１のセットを識別することと、
ＣＣの前記数と、ＣＣＡ動作の対象となるＣＣの前記第１のセットとに少なくとも部分的に基づいてソフトバッファを区分するために決定することと
を前記１つまたは複数のコンピュータプロセッサに行わせる、非一時的コンピュータ可読媒体。
【請求項３０】
ＣＣＡ動作の対象となるＣＣの前記第１のセットが無認可スペクトルまたは共有認可スペクトルのうちの１つ中にある、請求項２９に記載の非一時的コンピュータ可読媒体。
【手続補正２】
【補正対象書類名】明細書
【補正対象項目名】００８４
【補正方法】変更
【補正の内容】
【００８４】
[0081]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ユーザ機器（ＵＥ）のために構成されたコンポーネントキャリア（ＣＣ）の数を決定することと、
前記数のＣＣ内で、クリアチャネルアセスメント（ＣＣＡ）動作の対象となるコンポーネントキャリアの第１のセットを識別することと、
ＣＣの前記数と、ＣＣＡ動作の対象となるＣＣの前記第１のセットとにオン少なくとも部分的に基づいてソフトバッファを区分するために決定することと
を備える、ワイヤレス通信の方法。
［Ｃ２］
ＣＣＡ動作の対象となるＣＣの前記第１のセットが無認可スペクトル中にある、Ｃ１に記載の方法。
［Ｃ３］
ＣＣＡ動作の対象となるＣＣの前記第１のセットが共有認可スペクトル中にある、Ｃ１に記載の方法。
［Ｃ４］
ＣＣＡ動作の対象となるＣＣの前記第１のセットに基づいて前記ソフトバッファを区分するために前記決定することが、ＣＣＡ動作の対象となるＣＣの前記第１のセットをスケーリングファクタでスケーリングすることを含む、Ｃ１に記載の方法。
［Ｃ５］
前記ソフトバッファを区分するために、ＣＣＡ動作の対象となるＣＣの前記第１のセットのための値を決定することをさらに含み、ただし、前記値が、ＣＣＡ動作の対象となるＣＣの前記第１のセット中のＣＣの前記数未満である、Ｃ１に記載の方法。
［Ｃ６］
ＣＣＡ動作の対象となるＣＣの前記第１のセット内で、前記ソフトバッファを区分するためにＣＣＡクリアランスをもつＣＣの数を決定することをさらに含む、Ｃ１に記載の方法。
［Ｃ７］
ＣＣＡ動作の対象となるＣＣの前記第１のセット中のＣＣの前記数が、前記ＵＥのために構成されたＣＣの前記数に等しい、Ｃ１に記載の方法。
［Ｃ８］
ＣＣの第２のセットがＣＣＡ動作を免除された１つまたは複数のＣＣを含むと決定することをさらに含み、ここにおいて、前記ソフトバッファが、ＣＣの前記第１のセットとＣＣの前記第２のセットとについてセパレート区分されるかまたはジョイント区分されるかのうちの１つである、Ｃ１に記載の方法。
［Ｃ９］
前記ソフトバッファのジョイント区分が、ＣＣの前記第２のセット中の前記１つまたは複数のＣＣについて優先される、Ｃ８に記載の方法。
［Ｃ１０］
前記ソフトバッファのビットサイズが、ＣＣの前記第１のセットについておよびＣＣの前記第２のセットについてセパレートに決定される、Ｃ８に記載の方法。
［Ｃ１１］
ネットワーク動作に基づいて前記ソフトバッファをセパレート区分することまたはジョイント区分することのうちの１つを選択すること
をさらに含む、Ｃ８に記載の方法。
［Ｃ１２］
前記ネットワーク動作がキャリアアグリゲーションを含むとき、前記ソフトバッファをジョイント区分することを選択することと、
前記ネットワーク動作が理想的でないバックホール通信を有する２つまたはそれ以上の基地局を含むとき、前記ソフトバッファをセパレート区分することを選択することと、ここにおいて、前記２つまたはそれ以上の基地局が、前記ＵＥのために構成された前記数のＣＣのうちの１つまたは複数に関連する、
をさらに含む、Ｃ１１に記載の方法。
［Ｃ１３］
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、Ｃ１に記載の方法。
［Ｃ１４］
ＨＡＲＱプロセスの前記最大限界Ｍlimitが、ＣＣの前記第１のセットのために選択された第１のＭlimitと、ＣＣの前記第２のセットのために選択された第２のＭlimitとを含む、Ｃ１３に記載の方法。
［Ｃ１５］
ユーザ機器（ＵＥ）のために構成されたコンポーネントキャリア（ＣＣ）の数を決定するための手段と、
前記数のＣＣ内で、クリアチャネルアセスメント（ＣＣＡ）動作の対象となるコンポーネントキャリアの第１のセットを識別するための手段と、
ＣＣの前記数と、ＣＣＡ動作の対象となるＣＣの前記第１のセットとにオン少なくとも部分的に基づいてソフトバッファを区分するために決定するための手段と
を備える、ワイヤレス通信のために構成された装置。
［Ｃ１６］
ＣＣＡ動作の対象となるＣＣの前記第１のセットが無認可スペクトル中にある、Ｃ１５に記載の装置。
［Ｃ１７］
ＣＣＡ動作の対象となるＣＣの前記第１のセットが共有認可スペクトル中にある、Ｃ１５に記載の装置。
［Ｃ１８］
ＣＣＡ動作の対象となるＣＣの前記第１のセットに基づいて前記ソフトバッファを区分するために決定するための前記手段が、ＣＣＡ動作の対象となるＣＣの前記第１のセットをスケーリングファクタでスケーリングするための手段を含む、Ｃ１５に記載の装置。
［Ｃ１９］
前記ソフトバッファを区分するために、ＣＣＡ動作の対象となるＣＣの前記第１のセットのための値を決定するための手段をさらに含み、ただし、前記値が、ＣＣＡ動作の対象となるＣＣの前記第１のセット中のＣＣの前記数未満である、Ｃ１５に記載の装置。
［Ｃ２０］
ＣＣＡ動作の対象となるＣＣの前記第１のセット内で、前記ソフトバッファを区分するためにＣＣＡクリアランスをもつＣＣの数を決定するための手段をさらに含む、Ｃ１５に記載の装置。
［Ｃ２１］
ＣＣＡ動作の対象となるＣＣの前記第１のセット中のＣＣの前記数が、前記ＵＥのために構成されたＣＣの前記数に等しい、Ｃ１５に記載の装置。
［Ｃ２２］
ＣＣの第２のセットがＣＣＡ動作を免除された１つまたは複数のＣＣを含むと決定するための手段をさらに含み、ここにおいて、前記ソフトバッファが、ＣＣの前記第１のセットとＣＣの前記第２のセットとについてセパレート区分されるかまたはジョイント区分されるかのうちの１つである、Ｃ１５に記載の装置。
［Ｃ２３］
前記ソフトバッファのジョイント区分が、ＣＣの前記第２のセット中の前記１つまたは複数のＣＣについて優先される、Ｃ２１に記載の装置。
［Ｃ２４］
前記ソフトバッファのビットサイズが、ＣＣの前記第１のセットについておよびＣＣの前記第２のセットについてセパレートに決定される、Ｃ２１に記載の装置。
［Ｃ２５］
ネットワーク動作に基づいて前記ソフトバッファをセパレート区分することまたはジョイント区分することのうちの１つを選択するための手段
をさらに含む、Ｃ２１に記載の装置。
［Ｃ２６］
前記ネットワーク動作がキャリアアグリゲーションを含むとき、前記ソフトバッファをジョイント区分することを選択するための手段と、
前記ネットワーク動作が理想的でないバックホール通信を有する２つまたはそれ以上の基地局を含むとき、前記ソフトバッファをセパレート区分することを選択するための手段と、ここにおいて、前記２つまたはそれ以上の基地局が、前記ＵＥのために構成された前記数のＣＣのうちの１つまたは複数に関連する、
をさらに含む、Ｃ２５に記載の装置。
［Ｃ２７］
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、Ｃ１５に記載の装置。
［Ｃ２８］
ＨＡＲＱプロセスの前記最大限界Ｍlimitが、ＣＣの前記第１のセットのために選択された第１のＭlimitと、ＣＣの前記第２のセットのために選択された第２のＭlimitとを含む、Ｃ２７に記載の装置。
［Ｃ２９］
プログラムコードを記録した非一時的コンピュータ可読媒体であって、前記プログラムコードが、
ユーザ機器（ＵＥ）のために構成されたコンポーネントキャリア（ＣＣ）の数を決定することをコンピュータに行わせるためのプログラムコードと、
前記数のＣＣ内で、クリアチャネルアセスメント（ＣＣＡ）動作の対象となるコンポーネントキャリアの第１のセットを識別することを前記コンピュータに行わせるためのプログラムコードと、
ＣＣの前記数と、ＣＣＡ動作の対象となるＣＣの前記第１のセットとにオン少なくとも部分的に基づいてソフトバッファを区分するために決定することを前記コンピュータに行わせるためのプログラムコードと
を備える、非一時的コンピュータ可読媒体。
［Ｃ３０］
ＣＣＡ動作の対象となるＣＣの前記第１のセットが無認可スペクトルまたは共有認可スペクトルのうちの１つ中にある、Ｃ２９に記載の非一時的コンピュータ可読媒体。